(57)【要約】【課題】端座などによる外周端部への載荷時に人体が安定して支持されると共に、寝ている状態での外周端部への接触時における良好な触感などが実現される、新規な構造の流体セル式マットレスを提供すること。【解決手段】内部に流体室１８を備えて伸縮可能とされた支持セル１２によって、使用者を載せる支持面１１の少なくとも一部が構成された流体セル式マットレス１０であって、内部に補助流体室２９を備えて拡縮可能とされた補助セル２２が支持面１１の外周端部に設けられて、補助セル２２の補助流体室２９と支持セル１２の流体室１８が相互に連通されていると共に、補助セル２２における補助流体室２９の上下少なくとも一方の壁部には上下に貫通する通気孔３６が形成されている。【選択図】図２
2017169802.tif 000002
【特許請求の範囲】
【請求項１】
内部に流体室を備えて伸縮可能とされた支持セルによって、使用者を載せる支持面の少なくとも一部が構成された流体セル式マットレスであって、
内部に補助流体室を備えて拡縮可能とされた補助セルが前記支持面の外周端部に設けられて、該補助セルの該補助流体室と前記支持セルの前記流体室が相互に連通されていると共に、
該補助セルにおける該補助流体室の上下少なくとも一方の壁部には上下に貫通する通気孔が形成されていることを特徴とする流体セル式マットレス。
【請求項２】
前記補助セルは、前記補助流体室に中間膜が配されて該中間膜の両側に拡縮補助室と作用室が画成された構造を有しており、
該補助セルの該拡縮補助室と前記支持セルの前記流体室が相互に連通されていると共に、
該補助セルの該作用室には該中間膜に対して該拡縮補助室側への押圧力を及ぼし得る弾性手段が収容されている請求項１に記載の流体セル式マットレス。
【請求項３】
前記補助セルにおける前記補助流体室の壁部には、前記作用室の壁部を貫通する前記通気孔が形成されている請求項２に記載の流体セル式マットレス。
【請求項４】
前記補助セルにおける前記補助流体室の壁部に重ね合わされて前記通気孔を塞ぐフィルムが設けられている請求項１〜３の何れか一項に記載の流体セル式マットレス。
【請求項５】
前記補助セルにおける前記補助流体室の壁部の外面に前記フィルムが重ね合わされている請求項４に記載の流体セル式マットレス。
【請求項６】
前記補助セルにおける前記補助流体室の壁部の内面に前記フィルムが重ね合わされている請求項４に記載の流体セル式マットレス。
【請求項７】
前記補助セルにおける前記補助流体室の壁部に対して前記フィルムが部分的に固着されている請求項４〜６の何れか一項に記載の流体セル式マットレス。
【請求項８】
前記フィルムと前記補助セルにおける前記補助流体室の壁部との間には、外力の作用によって塞がれる隙間が形成されている請求項４〜７の何れか一項に記載の流体セル式マットレス。
【請求項９】
前記フィルムと前記補助セルにおける前記補助流体室の壁部との間に配される弾性多孔体によって前記隙間が形成されている請求項８に記載の流体セル式マットレス。
【請求項１０】
前記フィルムが波打ち形状とされて、該フィルムと前記補助セルにおける前記補助流体室の壁部との間に前記隙間が形成されている請求項８又は９に記載の流体セル式マットレス。
【請求項１１】
前記補助セルにおける前記補助流体室の上壁部に前記通気孔が形成されている請求項１〜１０の何れか一項に記載の流体セル式マットレス。
【請求項１２】
前記補助セルにおける前記補助流体室の下壁部に前記通気孔が形成されている請求項１〜１１の何れか一項に記載の流体セル式マットレス。
【請求項１３】
前記補助セルにおける前記補助流体室の上下少なくとも一方の壁部に一つの前記通気孔が形成されている請求項１〜１２の何れか一項に記載の流体セル式マットレス。
【請求項１４】
前記補助セルにおける前記補助流体室の上下少なくとも一方の壁部に複数の前記通気孔が形成されている請求項１〜１３の何れか一項に記載の流体セル式マットレス。
【発明の詳細な説明】
【技術分野】
【０００１】
本発明は、ベッドの上面に敷かれて使用者を載せる支持面を構成するマットレスであって、特に支持面の少なくとも一部が内部に流体室を備える伸縮可能な支持セルによって構成された流体セル式マットレスに関するものである。
【背景技術】
【０００２】
従来から、体圧の分散化による寝心地の改善などを目的とする流体セル式マットレスが提案されている。流体セル式マットレスは、たとえば特許第５３３９８７３号公報（特許文献１）に記載されているように、使用者を支持する支持面が内部に流体室を備える伸縮可能な支持セルによって構成されている。そして、使用者が支持面に載って及ぼす荷重（体重）に応じて支持セルが変形することにより、使用者に作用する支持面の当接圧（体圧）の分散化が図られて、寝心地の改善などが実現されるようになっている。
【０００３】
ところで、特許文献１の流体セル式マットレスでは、使用者がマットレスの外周端部に腰掛ける端座時や、使用者や介護者（看護者）などがマットレスの外周端部に膝や手を突く際などに、支持面の変形を抑えて安定した支持を図るために、マットレスの外周端部が変形しにくいウレタンフォームなどで構成されている。
【０００４】
ところが、マットレスの外周端部が硬いウレタンフォームなどで構成されていると、使用者がマットレス上で寝返りをうつなどしてマットレスの外周端部に接触すると、異物感による寝心地の悪さが問題となるおそれがあった。
【０００５】
なお、マットレスの外周端部も柔軟な支持セルで構成すれば、使用者の接触時の異物感が回避されるが、端座時や手などをつく際に支持セルの変形によって安定して支持され難くなって、端座姿勢からの立ち上がりや、膝や手をついて姿勢を保つことが難しくなるという不具合があった。
【先行技術文献】
【特許文献】
【０００６】
【特許文献１】特許第５３３９８７３号公報
【発明の概要】
【発明が解決しようとする課題】
【０００７】
本発明は、上述の事情を背景に為されたものであって、その解決課題は、端座などによる外周端部への載荷時に人体が安定して支持されると共に、寝ている状態での外周端部への接触時における良好な触感などが実現される、新規な構造の流体セル式マットレスを提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。
【０００９】
すなわち、本発明の第一の態様は、内部に流体室を備えて伸縮可能とされた支持セルによって、使用者を載せる支持面の少なくとも一部が構成された流体セル式マットレスであって、内部に補助流体室を備えて拡縮可能とされた補助セルが前記支持面の外周端部に設けられて、該補助セルの該補助流体室と前記支持セルの前記流体室が相互に連通されていると共に、該補助セルにおける該補助流体室の上下少なくとも一方の壁部には上下に貫通する通気孔が形成されていることを、特徴とする。
【００１０】
このような第一の態様に従う構造とされた流体セル式マットレスによれば、補助セルに形成された通気孔の開放状態において、通気孔を通じて補助流体室に空気が給排されることにより、補助セルの変形が容易に許容される。それ故、たとえば使用者が寝返りなどで補助セルに接触する際に、通気孔が開放されることによって補助セルの変形特性が柔らかくされて、接触時の違和感などが回避される。
【００１１】
さらに、補助セルに形成された通気孔が塞がれた状態において、補助流体室に対する通気孔を通じた空気の給排が制限されることにより、空気ばねの作用によって補助セルの変形が制限される。それ故、補助セル上に座る端座時や補助セルに手や膝をつく際などに、通気孔が塞がれることによって補助セルが変形し難くなって、補助セル上で安定して支持される。
【００１２】
しかも、補助セルにおける補助流体室の上下少なくとも一方の壁部に通気孔が形成されていることにより、例えば、寝返りなどによって補助セルに斜めに接触する際には通気孔が連通状態とされる一方、端座時などに補助セル上に載る際には通気孔が塞がれる。従って、通気孔の連通と閉塞を切り替えるために複雑なシステムが不要とされて、簡単な構造で補助セルの変形特性を切り替えることが可能となる。
【００１３】
本発明の第二の態様は、第一の態様に記載された流体セル式マットレスにおいて、前記補助セルは、前記補助流体室に中間膜が配されて該中間膜の両側に拡縮補助室と作用室が画成された構造を有しており、該補助セルの該拡縮補助室と前記支持セルの前記流体室が相互に連通されていると共に、該補助セルの該作用室には該中間膜に対して該拡縮補助室側への押圧力を及ぼし得る弾性手段が収容されているものである。
【００１４】
第二の態様によれば、支持セルの流体室と補助セルの拡縮補助室が相互に連通されることによって、支持セルの伸縮変形がより大きなストロークで許容される。更に、作用室に収容された弾性手段が中間膜を拡縮補助室側へ押圧することにより、拡縮補助室内の空気を効率的に排出することができて、支持セルをより速やかに伸長させることが可能とされており、支持面上での使用者の移動などに対する支持面の追従性の向上などが図られ得る。なお、可撓性の外膜の内側に拡縮補助室と作用室を形成することにより、柔軟な補助セルを簡単な構造で実現できると共に、使用者が直接或いは間接的に補助セルに接触した場合に違和感を低減乃至は回避することができる。
【００１５】
本発明の第三の態様は、第二の態様に記載された流体セル式マットレスにおいて、前記補助セルにおける前記補助流体室の壁部には、前記作用室の壁部を貫通する前記通気孔が形成されているものである。
【００１６】
第三の態様によれば、通気孔の連通時に支持セルの流体室内の空気が通気孔を通じて排出されるのを防いで、補助セルの硬い変形特性と柔らかい変形特性を切り替え可能としながら、支持面の優れた体圧分散性能を安定して得ることができる。
【００１７】
本発明の第四の態様は、第一〜第三の何れか１つの態様に記載された流体セル式マットレスにおいて、前記補助セルにおける前記補助流体室の壁部に重ね合わされて前記通気孔を塞ぐフィルムが設けられているものである。
【００１８】
第四の態様によれば、フィルムを設けることにより通気孔の開口部が塞がれ易くなって、端座時などに補助セルの硬い変形特性を安定して実現することができる。
【００１９】
本発明の第五の態様は、第四の態様に記載された流体セル式マットレスにおいて、前記補助セルにおける前記補助流体室の壁部の外面に前記フィルムが重ね合わされているものである。
【００２０】
第五の態様によれば、補助セルに人が接触するなどして補助流体室の内圧が上昇する際に、フィルムが通気孔の開口部から離れて通気孔が連通状態になり易いことから、補助セルの柔軟な変形特性が有効に実現される。一方、端座時などに補助セルに下向きの外力が作用すると、フィルムが通気孔の開口部に押し当てられて、通気孔がフィルムで塞がれることから、補助セルの硬い変形特性が実現される。
【００２１】
本発明の第六の態様は、第四の態様に記載された流体セル式マットレスにおいて、前記補助セルにおける前記補助流体室の壁部の内面に前記フィルムが重ね合わされているものである。
【００２２】
第六の態様によれば、端座時などに補助セルに下向きの外力が作用すると、補助流体室の内圧が上昇することによって、フィルムが通気孔の開口部に密着して、通気孔がフィルムで塞がれる。このように、通気孔がフィルムによって安定して塞がれて、補助セルの硬い変形特性が有利に実現される。
【００２３】
本発明の第七の態様は、第四〜第六の何れか１つの態様に記載された流体セル式マットレスにおいて、前記補助セルにおける前記補助流体室の壁部に対して前記フィルムが部分的に固着されているものである。
【００２４】
第七の態様によれば、フィルムが通気孔の開口位置に対して位置決めされて、フィルムによる通気孔の連通と遮断の切り替えが長期に亘って安定して実現される。
【００２５】
本発明の第八の態様は、第四〜第七の何れか１つの態様に記載された流体セル式マットレスにおいて、前記フィルムと前記補助セルにおける前記補助流体室の壁部との間には、外力の作用によって塞がれる隙間が形成されているものである。
【００２６】
第八の態様によれば、通気孔が隙間を通じて連通状態に維持されることにより、補助セルの柔らかい変形特性が実現される。更に、端座時などの外力作用時には隙間が塞がれることから、通気孔が遮断されて、補助セルの硬い変形特性が実現される。
【００２７】
本発明の第九の態様は、第八の態様に記載された流体セル式マットレスにおいて、前記フィルムと前記補助セルにおける前記補助流体室の壁部との間に配される弾性多孔体によって前記隙間が形成されているものである。
【００２８】
第九の態様によれば、スポンジ状の弾性多孔体の孔を通じて通気孔が連通状態に維持されることにより補助セルの柔軟な変形特性が実現される。更に、端座時などの外力作用時には、弾性多孔体が圧縮されて弾性多孔体の孔が潰れることで隙間が塞がれることから、通気孔が塞がれて、補助セルの硬い変形特性が実現される。
【００２９】
本発明の第十の態様は、第八又は第九の態様に記載された流体セル式マットレスにおいて、前記フィルムが波打ち形状とされて、該フィルムと前記補助セルにおける前記補助流体室の壁部との間に前記隙間が形成されているものである。
【００３０】
第十の態様によれば、フィルムが波打ち形状とされることで、フィルムと補助セルにおける補助流体室の壁部との間の隙間を通じて通気孔が連通状態に維持されることにより、補助セルの柔軟な変形特性が実現される。更に、端座時などの外力作用時には、フィルムが平坦に変形して隙間が塞がれることから、通気孔が遮断されて、補助セルの硬い変形特性が実現される。
【００３１】
本発明の第十一の態様は、第一〜第十の何れか１つの態様に記載された流体セル式マットレスにおいて、前記補助セルにおける前記補助流体室の上壁部に前記通気孔が形成されているものである。
【００３２】
第十一の態様によれば、通気孔が上方へ開口することにより連通状態に維持され易く、補助セルの柔らかい変形特性が有効に実現される。
【００３３】
本発明の第十二の態様は、第一〜第十一の何れか１つの態様に記載された流体セル式マットレスにおいて、前記補助セルにおける前記補助流体室の下壁部に前記通気孔が形成されているものである。
【００３４】
第十二の態様によれば、通気孔が下方へ開口することにより、補助セルの下方に配されるベッド等で覆われて遮断され易くなることから、端座時などに補助セルの硬い変形特性が有効に実現される。
【００３５】
本発明の第十三の態様は、第一〜第十二の何れか１つの態様に記載された流体セル式マットレスにおいて、前記補助セルにおける前記補助流体室の上下少なくとも一方の壁部に一つの前記通気孔が形成されているものである。
【００３６】
第十三の態様によれば、通気孔の開放と遮断が明確に切り替えられ易くなって、連通状態における補助セルの柔らかい変形特性と、遮断状態における補助セルの硬い変形特性とが、はっきりと切り替えられ得る。
【００３７】
本発明の第十四の態様は、第一〜第十三の何れか１つの態様に記載された流体セル式マットレスにおいて、前記補助セルにおける前記補助流体室の上下少なくとも一方の壁部に複数の前記通気孔が形成されているものである。
【００３８】
第十四の態様によれば、補助セルに対する入力の大きさや方向などに応じて、連通される通気孔の数と塞がれる通気孔の数が変わることにより、補助セルの変形特性（硬さ）が連続的乃至は段階的に変更され得る。これにより、例えば、寝返りなどで使用者が補助セルに接触する場合に、補助セル側へ移動するに従って徐々に補助セルが硬くなるようにして、使用者が支持面から落ちるのを防ぐことなども可能になる。
【発明の効果】
【００３９】
本発明によれば、補助セルに形成された通気孔の開放状態において、通気孔を通じて補助流体室に空気が給排されることにより、補助セルの柔らかい変形特性が実現されると共に、補助セルに形成された通気孔が塞がれた状態において、補助流体室に対する通気孔を通じた空気の給排が制限されることにより、空気ばねの作用によって補助セルの変形が制限されて、補助セルの硬い変形特性が実現される。従って、寝返り等によって補助セルに接触する場合には柔らかい触感によって異物感を低減できると共に、端座時などに補助セルに載る場合には安定した支持を実現できる。しかも、補助セルにおける補助流体室の上下少なくとも一方の壁部に通気孔が形成されていることにより、通気孔の連通と閉塞を簡単な構造で切り替えることが可能とされる。
【図面の簡単な説明】
【００４０】
【図１】本発明の第一の実施形態としての流体セル式マットレスを示す斜視図。
【図２】図１の流体セル式マットレスを別の角度で示す斜視図。
【図３】図１に示す流体セル式マットレスの平面図。
【図４】図１に示す流体セル式マットレスの正面図。
【図５】図１に示す流体セル式マットレスの部分縦断面図。
【図６】図１に示す流体セル式マットレスの分解斜視図。
【図７】図１に示す流体セル式マットレスの分解正面図。
【図８】本発明の第二の実施形態としての流体セル式マットレスを示す部分縦断面図。
【図９】本発明の第三の実施形態としての流体セル式マットレスを示す部分縦断面図。
【図１０】本発明の別の一実施形態としての流体セル式マットレスを構成する補助セルの要部を示す縦断面図。
【図１１】本発明のまた別の一実施形態としての流体セル式マットレスを構成する補助セルの要部を示す縦断面図。
【図１２】本発明の更に別の一実施形態としての流体セル式マットレスを構成する補助セルの要部を示す縦断面図。
【発明を実施するための形態】
【００４１】
以下、本発明の実施形態について、図面を参照しつつ説明する。
【００４２】
図１〜４には、本発明に従う構造とされた体圧支持クッションの第一の実施形態として、流体セル型のマットレス（以下、マットレス）１０が示されている。マットレス１０は、支持面１１を構成する複数の支持セル１２を備えている。なお、以下の説明において、上下方向とは、原則として、使用状態で略鉛直上下方向となる図５中の上下方向を言う。
【００４３】
より詳細には、支持セル１２は、図５に示すように、合成樹脂などの可撓性膜で形成された上外膜１４と下外膜１６の間に流体室１８を備える中空構造を有していると共に、流体室１８に弾性体としての支持弾性体２０が収容された構造とされている。本実施形態では、上外膜１４が下向きに開口する逆向き凹形状とされていると共に、下外膜１６が略平膜形状とされており、上外膜１４の開口が下外膜１６で覆蓋されることによって、それら上外膜１４と下外膜１６の間に流体室１８が形成されている。また、流体室１８に配設される支持弾性体２０は、連続気泡を有する多孔質の弾性体とされており、例えば発泡率の大きな発泡ウレタンフォームなどで形成されている。
【００４４】
そして、支持セル１２は、上外膜１４の変形が流体室１８内に対する空気の流入と排出によって許容されて、上下方向に伸縮変形可能とされている。なお、流体室１８内の流体は、空気以外の気体であっても良いし、液体であっても良いが、好適には圧縮性流体とされることにより、流体の圧縮性によって衝撃的な荷重作用時のクッション性が向上し得ると共に、荷重作用時に外膜１４，１６への作用力が流体の圧縮性によって軽減されて、耐久性や耐荷重性能の向上が図られ得る。
【００４５】
さらに、支持セル１２は、複数が一体的に形成されている。即ち、支持セル１２はマットレス１０の幅方向（図３中の左右方向）に並ぶ複数が配設されており、幅方向に並ぶ複数の支持セル１２は、それらの上外膜１４が相互に繋がって一体形成されていると共に、それらの下外膜１６が相互に繋がって一体形成されている。本実施形態では、支持セル１２はマットレス１０の長さ方向（図３中の上下方向）にも複数が並んで配設されており、長さ方向に並ぶ複数の支持セル１２も、それらの上外膜１４が相互に繋がって一体形成されていると共に、それらの下外膜１６が相互に繋がって一体形成されている。
【００４６】
一方、幅方向に並ぶ複数の支持セル１２の左右外側には、それぞれ補助セル２２が配設されている。補助セル２２は、可撓性の合成樹脂膜などで構成された上外膜２４と下外膜２６の間に、可撓性の合成樹脂膜などで構成された中間膜２８が配設された構造を有している。更に、上外膜２４と下外膜２６の間に形成された補助流体室２９に中間膜２８が配されており、補助流体室２９が中間膜２８によって仕切られることにより、中間膜２８の上下に拡縮補助室３０と作用室３２の各一方が形成されている。拡縮補助室３０と作用室３２は、外膜２４，２６および中間膜２８の変形によって容積可変とされており、これによって補助セル２２が拡縮変形可能とされている。
【００４７】
本実施形態では、上外膜２４が支持セル１２の上外膜１４と同様の下向きに開口する逆向き凹形状とされていると共に、下外膜２６が支持セル１２の下外膜１６と同様の略平膜形状とされており、上外膜２４の開口が下外膜２６で覆蓋されることによって、それら上外膜２４と下外膜２６の間に補助流体室２９が形成されている。また、本実施形態の中間膜２８は、下向きに開口する逆向き凹形状とされており、本実施形態では、上外膜２４と略同じ形状とされている。なお、本実施形態では、中間膜２８に対して上側に拡縮補助室３０が形成されているとともに下側に作用室３２が形成されているが、拡縮補助室３０と作用室３２は、中間膜２８に対して上下逆側に配置することもできる。
【００４８】
また、作用室３２には、弾性手段としての作用弾性体３４が収容されている。この作用弾性体３４は、本実施形態では、支持セル１２の支持弾性体２０と略同一のスポンジとされており、部品の共通化によるコストの低減や製造及び管理の簡単化が図られている。
【００４９】
ここにおいて、補助セル２２において作用室３２の壁部の一部を構成する下外膜２６には、上下に貫通する通気孔３６が形成されている。本実施形態の通気孔３６は、略円形断面を有して、作用室３２の下壁部の中央部分に一つだけが形成されている。通気孔３６は、好適には孔断面積が作用室３２の下壁部の面積に対して１／６以上且つ１／４以下の大きさとされていることにより、通気孔３６の大気開放状態において、空気の流量を確保しながら、後述するフィルム３８による遮断が有効になされる。
【００５０】
そして、作用室３２の容積変化が通気孔３６を通じた流体の流入および流出によって許容されていると共に、荷重の非入力状態では、作用弾性体３４によって中間膜２８が初期位置（本実施形態では、拡縮補助室３０の容積が最小となる位置）に保持されるようになっている。なお、図５では、理解を容易にするために、中間膜２８が作用室３２側へ移動した状態で示されている。
【００５１】
さらに、補助セル２２における作用室３２の下壁部には、フィルム３８が固着されている。フィルム３８は、通気孔３６の開口面積よりも大きな面積で形成されており、可撓性を有する合成樹脂製の薄膜であって、好適には気体の透過率が小さい材料で形成されている。このフィルム３８は、図２，５に示すように、補助セル２２の下外面に重ね合わされて部分的に固着されることにより、補助セル２２の通気孔３６の開口部を覆うように設けられて、通気孔３６を塞ぐことが可能とされていると共に、通気孔３６の明後部から離れて、通気孔３６を連通させることが可能とされている。本実施形態のフィルム３８は、図２，６に示すように、長さ方向に並ぶ複数の補助セル２２に跨って延びる長手帯状とされており、長さ方向に並ぶ複数の補助セル２２の下外面にそれぞれ重ね合わされて、フィルム３８の幅方向内端が各補助セル２２の下外面に固着されていると共に、フィルム３８の他の部分が各補助セル２２の下外面に対して離隔可能とされている。
【００５２】
このようにフィルム３８が補助セル２２に対して部分的に固着されていることにより、通気孔３６は、フィルム３８が補助セル２２の下外面から離れて大気に開放された連通状態と、補助セル２２の下外面に密着したフィルム３８によって覆われた遮断状態とに切り替えられるようになっている。そして、通気孔３６の連通状態では、作用室３２が通気孔３６を通じて大気に開放されることにより補助セル２２の拡縮が許容される一方、通気孔３６の遮断状態では、作用室３２が密閉されることから空気ばねの作用により補助セル２２の拡縮が制限される。その結果、通気孔３６の連通状態では補助セル２２において柔らかい変形特性が実現されると共に、通気孔３６の連通状態では補助セル２２において比較的に硬い変形特性が実現される。
【００５３】
なお、フィルム３８は、長さ方向に並ぶ複数の補助セル２２に対して、それぞれ独立して設けられていても良い。具体的には、例えば、略正方形のフィルム３８が複数の補助セル２２の下外面にそれぞれ固着されるようになっていても良い。この場合には、フィルム３８は、幅方向内端や四隅などが補助セル２２の下外面に対して部分的に固着されることによって、通気孔３６の連通状態と遮断状態が選択的に実現される。
【００５４】
かくの如き構造とされた補助セル２２は、支持セル１２の左右両側に配設されて、マットレス１０の左右両端部において端座部を構成している。また、補助セル２２は、幅方向で並んで配置される支持セル１２と一体的に繋がっている。即ち、補助セル２２の上外膜２４と支持セル１２の上外膜１４が幅方向で相互に繋がって一体形成されていると共に、補助セル２２の下外膜２６と支持セル１２の下外膜１６が幅方向で相互に繋がって一体形成されている。
【００５５】
さらに、長さ方向に並んで配置される複数の補助セル２２は、相互に一体的に繋がって形成されている。即ち、長さ方向に並ぶ複数の補助セル２２の上外膜２４が相互に繋がって一体形成されていると共に、長さ方向に並ぶ複数の補助セル２２の下外膜２６が相互に繋がって一体形成されている。
【００５６】
本実施形態では、複数の支持セル１２の上外膜１４および複数の補助セル２２の上外膜２４を連続的に一体形成した上シート４０と、複数の支持セル１２の下外膜１６および複数の補助セル２２の下外膜２６を連続的に一体形成した下シート４２が、上下に重ね合わされて固着されることにより、複数の支持セル１２および複数の補助セル２２が一体的に繋がって形成されている。
【００５７】
さらに、本実施形態では、長さ方向に並んで配置される複数の補助セル２２の中間膜２８が、相互に繋がって一体形成されている。即ち、上シート４０と下シート４２の間には、長さ方向に並ぶ複数の中間膜２８を備える中間シート４４が幅方向の両端部にそれぞれ配設されており、各中間膜２８の周囲において上下のシート４０，４２に当接状態で重ね合わされて溶着などの手段で固着されている。なお、中間シート４４は、後述する第二の連通路５２の形成部分において、上シート４０から離れていると共に、下シート４２に当接状態で重ね合わされて固着されている。
【００５８】
さらに、上シート４０における複数の支持セル１２および複数の補助セル２２の間には、固着部４６が設けられている。即ち、固着部４６は、図３に示すように、隣り合う支持セル１２の上外膜１４および補助セル２２の上外膜２４の間を延びており、下シート４２に対して当接状態で重ね合わされて溶着などの手段で固着されている。本実施形態では、支持セル１２の上外膜１４および補助セル２２の上外膜２４が平面視で略四角形とされていることにより、固着部４６が略格子状に延びている。
【００５９】
また、図５に示すように、幅方向で隣り合う支持セル１２，１２の間には、それら支持セル１２，１２の流体室１８，１８を相互に連通する第一の連通路４８が形成されている。具体的には、上シート４０の固着部４６には、支持セル１２，１２の幅方向間に位置する部分に幅方向へ延びる第一の凹溝５０が形成されており、第一の凹溝５０の開口部が下シート４２で覆蓋されることにより、第一の連通路４８が上シート４０の固着部４６と下シート４２の間に形成されている。
【００６０】
そして、第一の連通路４８の両端が幅方向で隣り合う支持セル１２，１２の流体室１８，１８の壁面に開口していることにより、それら流体室１８，１８が第一の連通路４８を通じて相互に連通されている。本実施形態では、図３に示すように、全ての支持セル１２の幅方向間に第一の連通路４８がそれぞれ形成されており、幅方向に並ぶ全ての支持セル１２の流体室１８が第一の連通路４８によって連通されている。なお、第一の連通路４８の通路断面積は、流体室１８の断面積よりも小さくされており、幅方向で隣り合う支持セル１２，１２の流体室１８，１８は、狭窄された第一の連通路４８によって相互に連通されている。
【００６１】
また、図５に示すように、幅方向で隣り合う支持セル１２と補助セル２２の間には、それら支持セル１２の流体室１８と補助セル２２の拡縮補助室３０を相互に連通する第二の連通路５２が形成されている。具体的には、支持セル１２と補助セル２２の幅方向間において、幅方向へ延びる第二の凹溝５４が上シート４０の固着部４６に形成されており、第二の凹溝５４の開口部が下シート４２で覆蓋されることにより、第二の連通路５２が上シート４０の固着部４６と下シート４２の間に形成されている。
【００６２】
そして、第二の連通路５２の両端が、幅方向で隣り合う支持セル１２の流体室１８の壁面と、補助セル２２の拡縮補助室３０の壁面とに開口することにより、それら流体室１８と拡縮補助室３０が第二の連通路５２を通じて相互に連通されている。なお、第二の連通路５２の通路断面積は、流体室１８および拡縮補助室３０の断面積よりも小さくされており、幅方向で隣り合う支持セル１２の流体室１８と補助セル２２の拡縮補助室３０は、狭窄された第二の連通路５２によって相互に連通されている。
【００６３】
上記の説明からも明らかなように、第一の連通路４８の壁部と、第一の連通路４８で接続された幅方向で隣り合う支持セル１２，１２の各外膜１４，１６は、相互に一体形成されている。また、第二の連通路５２の壁部と、第二の連通路５２で接続された幅方向で隣り合う支持セル１２の外膜１４，１６および補助セル２２の外膜２４，２６は、相互に一体形成されている。
【００６４】
なお、本実施形態のマットレス１０は、図６，７に示すように、上シート４０と、下シート４２と、左右一対の中間シート４４，４４と、左右一対のフィルム３８，３８と、複数の支持弾性体２０と、複数の作用弾性体３４とによって構成されている。即ち、中間シート４４，４４の各中間膜２８に対してそれぞれ作用弾性体３４を差し入れると共に、それら中間シート４４，４４を下シート４２の左右両端部分に上側から重ね合わせて、各中間膜２８の周囲を溶着などの手段で全周に亘って下シート４２に固着する。更に、フィルム３８，３８を下シート４２の左右両端部分に下側から重ね合わせて、各フィルム３８の幅方向内端を溶着等の手段で部分的に下シート４２に固着する。更にまた、上シート４０の左右中間に位置する各上外膜１４に対して支持弾性体２０を差し入れると共に、左右両端に位置する各上外膜２４に対して中間シート４４，４４の各中間膜２８と作用弾性体３４を差し入れて、上外膜２４と中間膜２８の周囲を溶着等の手段で相互に固着する。そして、上シート４０における各上外膜１４の周囲（固着部４６）を溶着などの手段で下シート４２にそれぞれ固着することにより、複数の支持セル１２と複数の補助セル２２を一体的に備えるマットレス１０が形成される。
【００６５】
また、上シート４０を下シート４２および中間シート４４に固着する際に、上シート４０における第一の凹溝５０および第二の凹溝５４の形成部分を避けて固着することにより、第一の連通路４８と第二の連通路５２を特別な部品を要することなく簡単に設けることができる。
【００６６】
このような本実施形態に従う構造とされたマットレス１０は、図５に示すように、ベッド５６の上面に下シート４２が重ね合わされるように敷かれて、同じく図示しない使用者が支持面１１上で横になるなどして使用する。なお、本実施形態のマットレス１０では、支持面１１が、複数の支持セル１２および補助セル２２によって構成されている。
【００６７】
かかる使用状態では、マットレス１０の支持面１１において使用者を載せて支える部分の支持セル１２には、使用者の支持荷重が上外膜１４に対して下向きに入力される。これにより、支持セル１２が上下に圧縮されて、支持セル１２の流体室１８の空気が、第一の連通路４８を通じて入力荷重が小さい他の支持セル１２の流体室１８へ移動する。これにより、支持セル１２の上下変形が、流体室１８間の空気の移動によって許容されるようになっている。従って、マットレス１０の支持面１１が使用者の体圧分布を均等化するように変形して、体圧の分散化による寝心地の改善などが実現される。
【００６８】
さらに、本実施形態では、幅方向に並んで配設された複数の支持セル１２の流体室１８が、第一の連通路４８によって相互に連通されており、流体室１８間での空気の移動がマットレス１０の幅方向で生じるようになっている。これにより、支持面１１上の使用者が寝返りなどによって幅方向に移動する際に、移動前に使用者が載っていた支持セル１２の伸長変形と、移動後に使用者が載る支持セル１２の収縮変形が、それら幅方向に並んで配された支持セル１２，１２の流体室１８，１８間での空気の移動によってスムーズに生ぜしめられる。それ故、支持セル１２の変形が、支持面１１上における使用者の幅方向への移動に高度に追従して生ぜしめられて、使用者は支持セル１２に妨げられることなく幅方向へ容易に移動することができる。
【００６９】
しかも、複数の支持セル１２の流体室１８を相互に連通する第一の連通路４８が、断面積の小さな狭窄通路とされており、空気が流体室１８の間での移動を抑制的に許容されることから、支持面１１の急激な変形に起因する使用者の不快な浮遊感などが回避される。加えて、支持面１１が多数の支持セル１２で構成されていることから、支持面１１を構成する各支持セル１２の上面の面積を小さくすることができて、各流体室１８内の流体流動によって各支持セル１２の上面に生じる変形の量が制限されている。それ故、支持セル１２の変形による支持面１１の不安定化が回避されて、使用者の安定した支持や良好な寝心地を実現することができる。
【００７０】
さらに、支持面１１における使用者の体圧作用領域以外に大きな荷重が入力される場合にも、第一の連通路４８において空気の移動が制限されることで支持面１１の急激な変形が防止される。それ故、例えば、使用者以外の人が支持面１１に手や膝をつく際に支持面１１によって有効に支えられると共に、使用者が支持面１１の急激な変形によって突上げられるのを防止できる。
【００７１】
また、マットレス１０の幅方向両端部に設けられた補助セル２２の拡縮補助室３０が、支持セル１２の流体室１８と第二の連通路５２を通じて連通されている。そして、支持荷重の入力によって支持セル１２の流体室１８内の圧力が上昇すると、流体室１８の空気が第二の連通路５２を通じて補助セル２２の拡縮補助室３０に流入して、拡縮補助室３０の圧力が上昇することから、中間膜２８が作用弾性体３４の弾性に抗して下方へ移動して、拡縮補助室３０の容積が拡大する。要するに、補助セル２２の拡縮補助室３０は、流体室１８からの空気の流入が許容されていると共に、作用弾性体３４の弾性によって空気の流入のし易さが調節されている。
【００７２】
このように、複数の支持セル１２の流体室１８間での空気の移動に加えて、支持セル１２の流体室１８と補助セル２２の拡縮補助室３０との間での空気の移動によっても、支持セル１２の変形が許容されており、支持セル１２の変形許容量（上下ストローク）が大きく確保されて、体圧の分散化が有利に実現される。特に本実施形態では、幅方向に並ぶ複数の支持セル１２の幅方向両側にそれぞれ補助セル２２が配設されていることから、それら複数の支持セル１２の変形許容量を左右一対の補助セル２２，２２によって大きく設定することができる。
【００７３】
さらに、支持面１１に作用する支持荷重が低減乃至は解除されると、拡縮補助室３０の内圧が低下して、中間膜２８が作用弾性体３４の弾性的な復元力によって拡縮補助室３０側へ押圧される。これにより、拡縮補助室３０の空気が支持セル１２の流体室１８へ移動して、支持荷重によって圧縮されていた各支持セル１２が上下に伸長する。なお、本実施形態では、支持面１１に作用する支持荷重の低減乃至は解除に際して、流体室１８に配設された支持弾性体２０の弾性によっても、支持セル１２が伸長するようになっており、支持弾性体２０の弾性と作用弾性体３４の弾性との協働によって速やかな形状復元が実現される。このように、支持セル１２の上下寸法が入力荷重の変化に速やかに追従して変化することから、使用者の支持面積が大きくなって、体圧の分散化が有利に実現される。なお、使用者が支持面１１上で移動するなどして、支持荷重の作用位置が長さ方向で変化した場合にも、支持荷重が低減乃至は解除された部分では上記の如き形状の復元が生じ得る。なお、作用弾性体３４の弾性に基づく作用室３２の形状の復元時には、大気中から作用室３２に対する空気の流入が許容される。
【００７４】
また、マットレス１０では、使用者や介護者などがマットレス１０の幅方向両端部に座る端座時や、マットレス１０の幅方向両端部に手や膝などをつく際に、補助セル２２の圧縮変形量が制限されるようになっている。即ち、補助セル２２によって構成されたマットレス１０の幅方向両端部に人が載って、補助セル２２に対して下向きの荷重が入力されると、補助セル２２の下面がベッド５６の上面に押し当てられて、補助セル２２の通気孔３６が人体の載荷によって閉塞される。これにより、補助セル２２の拡縮補助室３０が密閉されて、拡縮補助室３０に空気が密封されることから、拡縮補助室３０の容積変化が空気ばね作用によって制限されて、補助セル２２の上下方向の圧縮変形が制限される。その結果、端座時や幅方向端部に手又は膝などをつく際に、補助セル２２に載った人が安定して支えられる。
【００７５】
さらに、本実施形態では、補助セル２２に対して人の載荷による外力が作用すると、補助セル２２の通気孔３６が気体不透過性のフィルム３８によって塞がれる。これにより、通気孔３６を通じた空気の漏れが防止され易くなって、補助セル２２の変形がより効果的に防止される。
【００７６】
更にまた、通気孔３６が補助セル２２の下壁部に形成されて、フィルム３８が補助セル２２の下面に固着されていることから、端座などによる外力の作用時に、フィルム３８が平坦なベッド５６の上面によって通気孔３６の開口周縁部に押し当てられることから、通気孔３６がフィルム３８によって安定して塞がれる。
【００７７】
また、使用者が寝返りなどに際して支持面１１上で幅方向へ移動して補助セル２２に接触する場合には、上下方向に対して傾斜した斜め下向きの力が補助セル２２に作用する。かかる外力の作用によって補助セル２２やフィルム３８が変形することにより、通気孔３６のフィルム３８による閉塞が解除されて、通気孔３６が連通状態に切り替えられる。これにより、作用室３２が通気孔３６を通じて大気へ開放されて、作用室３２の容積変化が許容されることから、補助セル２２が容易に変形可能となる。その結果、補助セル２２の柔らかい変形特性が実現されて、補助セル２２に対する接触時の違和感が低減される。
【００７８】
しかも、本実施形態では、支持セル１２の流体室１８から独立した作用室３２が通気孔３６を通じて大気に開放されるようになっていることから、流体室１８内の空気が通気孔３６を通じて大気へ排出されることはなく、通気孔３６の連通時に支持セル１２のクッション性が維持される。
【００７９】
さらに、フィルム３８が補助セル２２の下壁部の外面に固着されていることから、補助セル２２に外力が作用して作用室３２の内圧が高くなることによってフィルム３８が補助セル２２の下壁部から離れ易くなる。それ故、通気孔３６の開放による補助セル２２の柔らかい変形特性が実現され易くなる。
【００８０】
さらに、補助セル２２の下壁部の略中央に１つの通気孔３６が形成されていることから、通気孔３６がフィルム３８によって塞がれた状態と開放された状態の何れかに選択的に切り替えられて、補助セル２２の変形特性を十分に柔らかい状態と十分に硬い状態に切り替え易くなる。
【００８１】
図８には、本発明の第二の実施形態としてのマットレス６０が示されている。マットレス６０は、複数の支持セル６２と複数の補助セル６４を備えている。なお、以下の説明において、第一の実施形態と実質的に同一であると把握される部材および部位については、同一の符号を付すことで説明を省略する。また、マットレス６０において、図８に示されていない部分や、支持セル６２および補助セル６４の配置などは、第一の実施形態と同様とすることができる。
【００８２】
支持セル６２は、下向きに開口する逆向き凹形状の上外膜１４と、上向きに開口する凹形状の下外膜６６を、それらの開口部において相互に固着した構造を有しており、内部に流体室１８を備えている。更に、流体室１８には、弾性体としての支持弾性体２０が収容されており、本実施形態では支持弾性体２０の上部が上外膜１４の凹所に差し入れられていると共に、下部が下外膜６６の凹所に差し入れられている。
【００８３】
補助セル６４は、下向きに開口する逆凹形状の上外膜２４と、上向きに開口する凹形状の下外膜６８を、それらの開口部において相互に固着した構造を有しており、それら上外膜２４と下外膜６８の間に補助流体室２９が形成されている。また、上外膜２４と下外膜６８の間には中間膜２８が配設されて、中間膜２８を挟んで上側に作用室３２が形成されていると共に、下側に拡縮補助室３０が形成されており、作用室３２には弾性手段としての作用弾性体３４が収容されている。
【００８４】
また、補助セル６４における作用室３２の上壁部には、上下に貫通する一つの通気孔３６が形成されており、作用室３２が通気孔３６を通じて大気中へ開放可能とされている。更に、補助セル６４における作用室３２の上壁部には、通気孔３６の開口部を覆うフィルム３８が固着されている。本実施形態では、フィルム３８が部分的に補助セル６４の上外面に固着されており、固着されていない部分においてフィルム３８が補助セル６４の上外面に対して離隔可能とされている。これにより、フィルム３８が補助セル６４の上外面に密着した状態において、通気孔３６がフィルム３８で塞がれて、作用室３２が略密閉される一方、フィルム３８の少なくとも一部が補助セル６４の上外面から離れた状態において、通気孔３６が大気に開放されて、作用室３２の空気が大気中へ排出可能とされる。なお、図８には、補助セル６４の上外面から離れた状態のフィルム３８の一態様が二点鎖線で例示されている。
【００８５】
このような本実施形態に従う構造とされたマットレス６０によっても、補助セル６４の変形特性を切り替えることが可能とされており、補助セル６４の変形特性の違いによる接触時の違和感の低減や端座時などにおける安定した支持などが実現される。特に、通気孔３６が上方へ向けて開口していることにより、寝返り等による人の補助セル６４への接触時などに通気孔３６が比較的に開き易くなっており、補助セル６４の柔らかい変形特性が有効に実現される。
【００８６】
図９には、本発明の第三の実施形態としてのマットレス７０が示されている。マットレス７０は、複数の支持セル６２と複数の補助セル７２を備えている。支持セル６２は、第二の実施形態と同様の上外膜１４と下外膜６６を備えていると共に、流体室１８内の支持弾性体２０が省略されている。
【００８７】
補助セル７２は、第二の実施形態と同様の上外膜２４と下外膜６８を備えて、内部に補助流体室２９が形成されていると共に、中間膜２８と作用弾性体３４が省略されている。更に、補助セル７２の上外膜２４には、補助流体室２９の上壁部を上下に貫通する通気孔３６が形成されていると共に、補助セル７２における補助流体室２９の上壁部の内面にフィルム７４が重ね合わされて固着されている。
【００８８】
フィルム７４は、前記実施形態のフィルム３８と同様に合成樹脂などで形成された可撓性の薄膜であって、本実施形態では略正方形とされており、補助流体室２９の上壁部に対して内側（下側）から重ね合わされて、外周端が周方向の一部乃至は複数の部分で固着されている。これにより、フィルム７４は、補助セル７２における補助流体室２９の上壁部に対して位置決めされていると共に、固着されていない部分が補助流体室２９の上壁部に対して離隔可能とされている。なお、本実施形態では、フィルム７４の一辺が補助流体室２９の上壁部に固着されており、図９に二点鎖線で示すように、フィルム７４の他辺が補助流体室２９の上壁部から離隔可能とされている。
【００８９】
このような本実施形態に従う構造とされたマットレス７０によれば、端座時などに補助セル７２に対して下向きに大きな荷重が入力されると、補助流体室２９の内圧が上昇することにより、図９に実線で示すように、フィルム７４が補助流体室２９の上壁部に密着して、通気孔３６がフィルム７４によって流体密に塞がれる。これにより、通気孔３６が塞がれた状態に維持され易く、外力の作用時に補助セル７２の硬い変形特性が安定して維持される。
【００９０】
一方、使用者が寝返りなどによって補助セル７２に接触する場合には、補助セル７２の内圧上昇が端座時などに比して小さいことに加えて、補助セル７２に対する入力方向が上下方向に対して傾斜していることから、補助流体室２９の上壁部の変形によって補助流体室２９の上壁部とフィルム７４の間に隙間が形成される。これにより、通気孔３６が連通状態とされて、空気の大気中への排出により補助セル７２の柔らかい変形特性が実現される。
【００９１】
このように、補助流体室２９の上壁部の内面にフィルム７４が固着された構造においても、通気孔３６の連通と遮断が入力に応じて切り替えられることにより、補助セル７２の変形特性が切り替えられて、接触時の柔らかい触感と載荷時の安定した支持が両立して実現される。特に、フィルム７４が補助流体室２９の壁内面に重ね合わされることにより、通気孔３６が塞がれた状態をより安定して実現し易くなる。
【００９２】
以上、本発明の実施形態について詳述してきたが、本発明はその具体的な記載によって限定されない。例えば、通気孔３６を塞ぐフィルム３８は必須ではなく、端座時などの補助セル２２に対する下向き外力の作用時に、補助セル２２の下面に開口する通気孔３６がベッド５６によって覆われて塞がれるようにすることもできる。更に、例えば、マットレス１０を収容するカバーにフィルム３８を設けることもでき得る。
【００９３】
また、補助セル２２における補助流体室２９の側壁部を貫通する補助通気孔を形成することもできる。これによれば、例えば、通気孔３６がフィルム３８によって塞がれた状態で外力が解除される際などに、空気が補助通気孔を通じて補助流体室２９へ入ることにより、通気孔３６の開口周縁部に対するフィルム３８の張付きが回避され易くなる。更に、端座時などの下向きの大きな荷重入力時に、補助セル２２が上下に圧縮されて側方へ膨らむなどして、補助通気孔が他のセルなどで塞がれることにより、補助通気孔を通じた補助流体室２９に対する空気の流入または放出が制限されるようにしても良い。
【００９４】
また、前記実施形態では、補助セル２２がマットレス１０の左右両端部に配置された構造が例示されているが、例えば、マットレス１０の長さ方向の端部に設けることもできる。更に、前記実施形態では、マットレス１０の左右両端部に各１列の補助セル２２が配置されているが、例えば、マットレス１０の端部に複数列の補助セル２２が配置されていても良く、それによって端座部をより広い面積で確保することができる。
【００９５】
また、前記実施形態では、長さ方向に並ぶ全ての補助セル２２に通気孔３６が形成されているが、例えば、通気孔３６を備える補助セル２２と、通気孔３６を備えていない補助セル２２が長さ方向で交互に配設されていても良い。
【００９６】
前記実施形態では、フィルム３８が補助セル２２の外面または内面に直接的に重ね合わされた構造が例示されているが、例えば、図１０に示すように、フィルム３８と補助セル２２の間に弾性多孔体としてのスポンジ層８０を設けることにより、フィルム３８と補助セル２２の間に隙間８２が形成されるようにしても良い。これにより、通気孔３６が隙間８２を通じて連通状態に維持されて、接触時に補助セル２２の柔らかい変形特性が実現され易くなる。更に、端座時などに上下方向の大きな荷重が補助セル２２に入力されると、スポンジ層８０がフィルム３８と補助セル２２の間で上下に圧縮されて、スポンジ層８０の孔が塞がれることから、隙間８２がフィルム３８によって塞がれて、補助セル２２の硬い変形特性が実現されることによる安定した支持が可能になる。
【００９７】
また、図１１に示すような波打ち形状のフィルム８４を採用して、フィルム８４の変形によって通気孔３６の連通と遮断を切り替えるようにもできる。即ち、フィルム８４は、ジグザグ状の断面で図１１中の紙面直交方向に連続して延びる波打ち形状を有している。そして、フィルム８４は、下方へ向けて凸の谷折部において補助セル２２における補助流体室２９の上壁部外面に当接していると共に、他の部分が補助セル２２における補助流体室２９の上壁部外面に対して上方へ離れており、フィルム８４と補助流体室２９の上壁部の間に隙間８６が形成されている。なお、フィルム８４は、例えば一つの谷折部が接着や溶着などの手段で補助セル２２の上面に固着されている。
【００９８】
これにより、外力が作用しない静置状態において、通気孔３６が隙間８６を通じて大気に開放されている。また、端座時などに下向きの力がフィルム８４を介して補助セル２２に作用すると、図１１に二点鎖線で示すように、フィルム８４が上下に圧縮されて平坦に変形する。その結果、補助セル２２の上面とフィルム８４の間の隙間８６が狭窄乃至は閉塞されて、通気孔３６がフィルム８４によって塞がれることから、補助セル２２の硬い変形特性が実現される。
【００９９】
また、前記実施形態では、通気孔３６が補助セル２２における補助流体室２９の上下何れか一方の壁部に形成された構造が例示されているが、例えば、補助流体室２９の上下両方の壁部に通気孔３６を形成することもできる。
【０１００】
さらに、前記実施形態では、補助セル２２における補助流体室２９の上下少なくとも一方の壁部に一つの通気孔３６が形成された構造を例示したが、例えば、図１２に示すように、補助セル２２における補助流体室２９の上下少なくとも一方の壁部に対して、複数の通気孔８８を形成することもできる。これによれば、連通状態に維持される通気孔８８の数とフィルム３８によって塞がれる通気孔８８の数の比が、入力の大きさや向きなどに応じて変化することから、補助セル２２の変形特性が入力に応じて連続的乃至は段階的に変更されて、接触時の柔らかい触感と端座時などの安定した支持が両立して実現されると共に、例えば、寝返りによって補助セル２２に接触する場合などには、使用者が補助セル２２上へ移動するに従ってより多くの通気孔８８が塞がれて補助セル２２が硬くなることから、使用者が流体セル式マットレスから落下するのを防ぐことができる。
【０１０１】
また、支持セル１２の流体室１８や補助セル２２の補助流体室２９は、必ずしもマットレス１０の幅方向でのみ連通路によって連通されている構造に限定されず、例えば、マットレス１０の長さ方向で連通路によって連通されていても良い。
【符号の説明】
【０１０２】
１０，６０，７０：流体セル式マットレス、１１：支持面、１２，６２：支持セル、１８：流体室、２２，６４，７２：補助セル、２８：中間膜、２９：補助流体室、３０：拡縮補助室、３２：作用室、３４：作用弾性体、３６，８８：通気孔、３８，８４：フィルム、５２：第二の連通路、８０：スポンジ層（弾性多孔体）、８２，８６：隙間
【図１】
2017169802.tif 000003
【図２】
2017169802.tif 000004
【図３】
2017169802.tif 000005
【図４】
2017169802.tif 000006
【図５】
2017169802.tif 000007
【図６】
2017169802.tif 000008
【図７】
2017169802.tif 000009
【図８】
2017169802.tif 000010
【図９】
2017169802.tif 000011
【図１０】
2017169802.tif 000012
【図１１】
2017169802.tif 000013
【図１２】
2017169802.tif 000014